(57)【要約】【課題】電子装置をセットしたとき、追加の発光手段を必要とせずに発光を広範囲で確認でき、イルミネーション機能を安価に実現する卓上ホルダ装置および卓上ホルダ装置表示システムを得ること。【解決手段】携帯電話機２１０を卓上ホルダ装置２００にセットすると、電話機本体２１１の底部に設けられた図示しない端子と中ケース２０２に設けられた同じく図示しない端子が電気的に接続する。これにより、携帯電話機２１０のソフトウェアは充電の開始を検知して発光ＬＥＤ２１２を所定のパターンで点灯させる。発光ＬＥＤ２１２の出力する光２６３は、透明または半透明の上ケース２０１を透過し、適宜拡散して上ケース２０１の外側を明るく照明する。これにより光の視認領域が広がる。また卓上ホルダ装置２００自体は発光手段を持たないので、安価に構成できる。【選択図】図７
2008118308.tif 000002
【特許請求の範囲】
【請求項１】
特定の電子装置の外表面に至る予め定められた位置に配置された所定の発光部の発する光線を外部に導く透光性部材を少なくとも一部に備え、前記特定の電子装置を定位置に着脱自在に保持する電子装置保持手段と、
この電子装置保持手段が前記特定の電子装置を前記定位置に保持した状態で、前記特定の電子装置の所定の端子と電気的に接続してこれに給電する給電手段
とを具備することを特徴とする卓上ホルダ装置。
【請求項２】
前記透光性部材は光を拡散する光拡散部材から構成されていることを特徴とする請求項１記載の卓上ホルダ装置。
【請求項３】
前記透光性部材はその一部に光を透過する空洞を備えていることを特徴とする請求項１記載の卓上ホルダ装置。
【請求項４】
商用電源に接続されて前記特定の電子装置を充電する充電手段を備え、
前記給電手段はこの充電手段の充電用の端子を備えていることを特徴とする請求項１記載の卓上ホルダ装置。
【請求項５】
前記特定の電子装置は充電中と充電が完了したときとで少なくとも前記所定の発光部が異なった発光形態となることを特徴とする請求項４記載の卓上ホルダ装置。
【請求項６】
前記特定の電子装置は着信の表示と充電に関する表示を１つの発光部で行うようになっており、それぞれ発光形態が異なっていることを特徴とする請求項４記載の卓上ホルダ装置。
【請求項７】
前記所定の発光部は２以上の発光部から構成されることを特徴とする請求項１記載の卓上ホルダ装置。
【請求項８】
充電電池と、この充電電池の充電の状態を発光表示する充電用発光手段と、外部から電源の供給を受けて前記充電電池を充電するための充電端子と、前記充電電池の充電の各状態を判別する充電状態判別手段と、この充電状態判別手段の判別結果に応じて前記充電用発光手段を異なった発光形態で発光させる発光制御手段とを備えた電子装置と、
この電子装置の外表面に至る予め定められた位置に配置された前記充電用発光手段の発する光線を外部に導く透光性部材を少なくとも一部に備え、この電子装置を定位置に着脱自在に保持する電子装置保持手段と、この電子装置保持手段が前記電子装置を前記定位置に保持した状態で、この電子装置の前記充電端子と電気的に接続してこれに充電用の給電を行う給電手段とを備えた卓上ホルダ装置
とを具備することを特徴とする卓上ホルダ装置表示システム。
【発明の詳細な説明】
【技術分野】
【０００１】
本発明は、携帯電話機、ＰＨＳ、ＰＤＡ、ポータブルプレーヤ等の電子装置を机上やテーブルの上等の場所に保持する卓上ホルダ装置および卓上ホルダ装置表示システムに関する。
【背景技術】
【０００２】
携帯電話機、ＰＨＳ（Personal Handy-phone System）、ＰＤＡ（Personal Digital Assistant）等の通信端末は、卓上ホルダ装置にセットしておくと、電話が掛かってきたときに、すぐ応答することができるので便利である。また、卓上ホルダ装置自体が充電機能を備えていたり、高音質のスピーカを備えている場合、あるいはＬＡＮ（ローカルエリアネットワーク）の接続機能といった付加機能を備えている場合には、卓上ホルダ装置にセットしておくことで、これらの機能を活用することもできる。
【０００３】
図９および図１０は、従来使用された卓上ホルダ装置の一例を示したものである。このうち、図９は卓上ホルダ装置１００を分解した状態で斜め上から見たものであり、図１０は斜め下から見たものである。
【０００４】
卓上ホルダ装置１００は、上ケース１０１、中ケース１０２および下ケース１０３の上下方向に３つに分かれた部品で構成されている。上ケース１０１と中ケース１０２は、図１０に示す上ケース１０１の嵌合爪１１１と、図９に示す中ケース１０２の嵌合爪１１２で結合される。また、上ケース１０１と下ケース１０３とは、図１０に示す上ケース１０１のネジボス１１３を中ケース１０２のボス穴１１４を通して、下ケース１０３のネジ穴１１５を利用して、ネジ１１６で結合されるようになっている。
【０００５】
中ケース１０２と下ケース１０３は、図１０に示すように嵌合爪１１７と嵌合凹１１８で嵌合させた後、ネジボス１１９とネジ穴１２０を利用してネジ１２１で結合される。図１０に示す嵌合爪１１１、図９に示す嵌合爪１１２、図１０に示す嵌合爪１１７および嵌合凹１１８のそれぞれの数量については、これらの大きさ、作業性に応じて設計者が決定することになる。
【０００６】
図１１は、図９および図１０に示した卓上ホルダ装置１００に装着する電子装置としての携帯電話機の外観を表わしたものである。携帯電話機１３０は、電話機本体１３１の一方の面に着信を表示するための着信ＬＥＤ（Light Emitting Diode）１３２が配置されている。
【０００７】
図９および図１０に示す卓上ホルダ装置１００の中ケース１０２と下ケース１０３の内部には、図１１に示した携帯電話機１３０を充電したり発光させるための基板１２１が内蔵されている。基板１２１には充電する際に電話機本体１３１の底部に配置されている図示しない入出力端子とそれぞれ接触する端子１２３および端子１２４と、これらの端子１２３、１２４に電気を供給するための入出力プラグ１２５と、この入出力プラグ１２５からの給電により発光するＬＥＤ１２６がそれぞれ搭載されている。ＬＥＤ１２６が発する光は中ケース１０２に取り付けられた図９に示す照光窓１２７を透過して、上ケース１０１に到達する。これにより、透明あるいは半透明な上ケース１０１のほぼ全体を光らせることができる。上ケース１０１の材質は光の透過上の制約を受けるが、中ケース１０２、下ケース１０３の材質については特に制約がない。
【０００８】
基板１２１は、図１０に示すように基板爪１２８によって、中ケース１０２と固定される。基板１２１が中ケース１０２と固定されるときに、端子１２３および端子１２４は中ケース１０２に設けられた切り欠き１２９と、上ケース１０１に設けられた切り欠き１４１を通って中ケース１０２と上ケース１０１の外側に配置されることになる。また、図９に示すように、中ケース１０２の内部に設けられた突起１４２は、図１０に示す上ケース１０１に設けられた穴１４３を通り上ケース１０１の底部の上側に配置されており、電話機本体１３１（図１１）の底部が上ケース１０１の底部に直接接触するのを防ぐ役割をしている。
【０００９】
このように、従来の卓上ホルダ装置１００は、これに図１１に示した携帯電話機１３０をセットして充電を行うときにＬＥＤ１２６を発光させて、充電の状態を表示するようにしていた。携帯電話機１３０側の着信ＬＥＤ１３２は卓上ホルダ装置１００にセットした状態でこの卓上ホルダ装置１００から露出しているので、着信を表示することができる。
【００１０】
しかしながら、この従来の卓上ホルダ装置１００では、その内部に発光のためのＬＥＤ１２６を配置するために、このＬＥＤ１２６を基板１２１に搭載する必要があった。このため、作業工数が掛かり、部品代の増加につながっていた。また、ＬＥＤ１２６を充電の状態に合わせて発光色を切り替えるようにしたり、色々な発光パターンを選択できるようにするためには、基板１２１に追加的な電気回路を配置しなければならず、コストの増加はもちろんのこと技術的な難易度が上がってしまうという問題もあった。
【００１１】
そこで、折り畳み型の携帯電話機をセットする卓上ホルダ装置の、充電状態を表示するＬＥＤと対向する面を反射面とする提案が行われている（たとえば特許文献１参照）。
【００１２】
図１２は、この提案の卓上ホルダ装置に携帯電話機をセットした状態を表わしたものである。携帯電話機１６１の折り畳まれる面の端部近傍には、充電時に発光するＬＥＤ１６２が配置されている。充電用の卓上ホルダ装置１６３は、携帯電話機１６１のＬＥＤ１６２を下向きにした状態で収容するポケット部１６４を有している。ポケット部１６４の前面側には、ＬＥＤ１６２とほぼ対向する位置に反射材１６５が取り付けられている。したがって、携帯電話機１６１のユーザ１６６は、ＬＥＤ１６２を直接見ることのできないポケット部１６４の前面側から、反射材１６５によって反射されたＬＥＤ１６２の光１６７を見ることができる。
【特許文献１】特開２００２−０３３８１４号公報（第００２３段落、第００２４段落、図３、図４）
【発明の開示】
【発明が解決しようとする課題】
【００１３】
図１２に示した提案によれば、ＬＥＤ１６２の光１６７を卓上ホルダ装置１６３側の反射材１６５で反射させるので、ユーザは光１６７の進む方向に顔を位置させることで、携帯電話機１６１が充電中であるかを確認することができる。しかしながら、ＬＥＤ１６２から出た光は、反射材１６５に入射した入射角と等しい反射角で反射する。したがって、ユーザ１６６はある程度特定された領域に顔を持ってこなければ、ＬＥＤ１６２の発光状態を確認することができない。たとえば、家庭でテレビ受信機やテーブルの上に卓上ホルダ装置１６３を配置しているような場合、寝転んでテレビジョンを見ている状態でＬＥＤ１６２の発光状態を確認することができない。
【００１４】
また、携帯電話機１６１をセットしている卓上ホルダ装置１６３に光のインテリアとして各種の発光パターンを演出させるといったイルミネーション機能を実現させることはできない。このような視覚的なイルミネーション機能を実現しようとすると、卓上ホルダ装置１６３自体にＬＥＤ等の発光手段や発光のための回路装置を備える必要がある。この場合には、発光体や抵抗、コンデンサ等の回路部品により部品代やこれらの搭載工数が必要になり、卓上ホルダ装置１６３のコストが増大するという問題がある。
【００１５】
そこで本発明の目的は、電子装置をセットしたとき、追加の発光手段を必要とせずに発光を広範囲で確認することのできる卓上ホルダ装置および卓上ホルダ装置表示システムを提供することにある。
【００１６】
本発明の他の目的は、イルミネーション機能を安価に実現することのできる卓上ホルダ装置および卓上ホルダ装置表示システムを提供することにある。
【課題を解決するための手段】
【００１７】
請求項１記載の発明では、（イ）特定の電子装置の外表面に至る予め定められた位置に配置された所定の発光部の発する光線を外部に導く透光性部材を少なくとも一部に備え、前記した特定の電子装置を定位置に着脱自在に保持する電子装置保持手段と、（ロ）この電子装置保持手段が前記した特定の電子装置を前記した定位置に保持した状態で、前記した特定の電子装置の所定の端子と電気的に接続してこれに給電する給電手段とを卓上ホルダ装置に具備させる。
【００１８】
すなわち本発明では、特定の電子装置を定位置に着脱自在に保持する電子装置保持手段が前記した特定の電子装置の外表面に至る予め定められた位置に配置された所定の発光部の発する光線を外部に導く透光性部材を少なくとも一部に備えている。したがって、その電子装置の前記した所定の発光部が発光すれば、光線を外部に導く透光性部材によってこの光を卓上ホルダ装置の外部に導くことができる。透光性部材は透明あるいは半透明な部材で構成され、空隙があってもよい。また、光ファイバを含むようなものであってもよい。
【００１９】
請求項８記載の発明では、（イ）充電電池と、この充電電池の充電の状態を発光表示する充電用発光手段と、外部から電源の供給を受けて充電電池を充電するための充電端子と、充電電池の充電の各状態を判別する充電状態判別手段と、この充電状態判別手段の判別結果に応じて充電用発光手段を異なった発光形態で発光させる発光制御手段とを備えた電子装置と、（ロ）この電子装置の外表面に至る予め定められた位置に配置された充電用発光手段の発する光線を外部に導く透光性部材を少なくとも一部に備え、この電子装置を定位置に着脱自在に保持する電子装置保持手段と、この電子装置保持手段が電子装置を前記した定位置に保持した状態で、この電子装置の充電端子と電気的に接続してこれに充電用の給電を行う給電手段とを備えた卓上ホルダ装置とを卓上ホルダ装置表示システムに具備させる。
【００２０】
すなわち本発明は、充電電池と、この充電電池の充電の状態を発光表示する充電用発光手段と、外部から電源の供給を受けて充電電池を充電するための充電端子と、充電電池の充電の各状態を判別する充電状態判別手段と、この充電状態判別手段の判別結果に応じて充電用発光手段を異なった発光形態で発光させる発光制御手段とを備えた電子装置を卓上ホルダ装置と組み合わせた卓上ホルダ装置表示システムに関するものである。卓上ホルダ装置は、電子装置を定位置に着脱自在に保持する電子装置保持手段がこの電子装置の外表面に至る予め定められた位置に配置された充電用発光手段の発する光線を外部に導く透光性部材を少なくとも一部に備えている。したがって、その電子装置の前記した充電用発光手段が発光すれば、光線を外部に導く透光性部材によってこの光を卓上ホルダ装置の外部に導くことができる。透光性部材は透明あるいは半透明な部材で構成され、空隙があってもよい。また、光ファイバを含むようなものであってもよい。
【発明の効果】
【００２１】
以上説明したように本発明によれば、電子装置自体の発光手段を使用して卓上ホルダ装置が発光する。電子装置の多くは高度の制御機能を果たせるように構成されている。したがって、卓上ホルダ装置に特別のコストを掛けずに電子装置側で高度な発光制御を実現することができる。しかも、卓上ホルダ装置側は電子装置に電源を供給するので、電子装置の発光に十分な電力を使用することができ、発光の強度を各種環境で満足いく範囲に設定することができる。
【発明を実施するための最良の形態】
【００２２】
以下実施例につき本発明を詳細に説明する。
【実施例１】
【００２３】
図１は、本実施例の卓上ホルダ装置の外観を表わしたものである。この卓上ホルダ装置２００は、円筒を斜めに切断したような上ケース２０１の下に円筒状の中ケース２０２を重ね、下ケース２０３を中ケース２０２の底部に配置した構造となっている。上ケース２０１には、この図に示していない携帯電話機を挿入するための挿入部２０４が開口している。この卓上ホルダ装置２００は、図示しない電源プラグを備えており、商用電源の図示しないコンセントに接続することで、携帯電話機の充電を行うことができるようになっている。
【００２４】
上ケース２０１は透明あるいは半透明な樹脂で構成されている。透明あるいは半透明な材質であれば、樹脂以外にガラス等の他の材質も使用可能である。中ケース２０２、下ケース２０３の材質については特に制約がない。
【００２５】
図２は、本実施例で卓上ホルダ装置にセットする電子装置としての携帯電話機の外観を表わしたものである。携帯電話機２１０は、電話機本体２１１の一方の面の下端部近傍に、発光ＬＥＤ２１２を配置している。この発光ＬＥＤ２１２は、着信時には着信用の発光形態で発光し、充電時には充電用の発光の形態で発光するようになっている。
【００２６】
図３は、携帯電話機を卓上ホルダ装置にセットした状態を表わしたものである。携帯電話機２１０を卓上ホルダ装置２００にセットした状態で充電状態となる。携帯電話機２１０を卓上ホルダ装置２００にセットすると、図２に示した発光ＬＥＤ２１２自体は、外から見ることができない。この代わり、本実施例では上ケース２０１の全体が充電状態に応じた発光形態となる。
【００２７】
図４および図５は、本実施例の卓上ホルダ装置を分解した状態を示したものである。このうち、図４は卓上ホルダ装置１００を斜め上から見たものであり、図５は斜め下から見たものである。
【００２８】
卓上ホルダ装置２００は、上ケース２０１、中ケース２０２および下ケース２０３の上下方向に３つに分かれた部品で構成されている。上ケース２０１と中ケース２０２は、図５に示す嵌合爪２３１と、図４に示す嵌合爪２３２で結合されている。上ケース２０１と下ケース２０３は、図５に示す上ケース２０１のネジボス２３３を中ケース２０２のボス穴２３４を通して、ネジ穴２３５を利用してネジ２３６で結合される。
【００２９】
中ケース２０２と下ケース２０３は図５に示す嵌合爪２３７と嵌合凹２３８で嵌合させた後、ネジボス２３９と、図４および図５に示すネジ穴２４０を利用してネジ２４２で結合される。図５に示す嵌合爪２３１と、図４に示す嵌合爪２３２と、図５に示す嵌合爪２３７および嵌合凹２３８のそれぞれの使用される数量については、卓上ホルダ装置２００の大きさや組立作業性に応じて設計者が決定することになる。
【００３０】
ところで、中ケース２０２と下ケース２０３の内部には、充電機能を実現するための基板２４３が内蔵されている。基板２４３には、充電を行う際に電話機本体２１１（図２）側に配置されている、これまでの図に示していない入出力端子（図８参照）と接触をする端子２４６および端子２４７と、電話機本体２１１側に電気を供給するための入出力プラグ２４８がそれぞれ搭載されている。端子２４６および端子２４７は、バネ性を利用した線材を加工して作成するものが望ましいが、ピンコネクタなどの代替部品を使用することも可能である。その選択は用途により設計者が任意で選択できるものである。
【００３１】
基板２４３は、図５に示すように基板爪２４９によって中ケース２０２と固定される。基板２４３が中ケース２０２と固定されるとき、端子２４６および端子２４７はこの中ケース２０２に設けられた切り欠き２５１と、上ケース２０１に設けられた切り欠き２５２を通って中ケース２０２と上ケース２０１の外側に配置されることになる。また、図４に示すように、中ケース２０２の内部に設けられた突起２５３は、上ケース２０１に設けられた穴２５４を通り上ケース２０１の底部の上側に配置されるようになっており、電話機本体２１１の底部が上ケース２０１の底部に直接接触するのを防ぐ役割をしている。
【００３２】
図６および図７は、携帯電話機を卓上ホルダ装置にセットした状態での断面構造を表わしたものである。携帯電話機２１０を卓上ホルダ装置２００にセットすると、図６に示すように電話機本体２１１の底部に設けられた入出力端子２６１が基板２４３に取り付けられた端子２４６および端子２４７と電気的に接触する。これにより、携帯電話機２１０の内部に配置された図示しない充電電池に対する充電が開始される。これと共に、電話機本体２１１は内蔵されたソフトウェアを図示しないＣＰＵ（Central Processing Unit）が実行することで、図７に示した発光ＬＥＤ２１２が発光を開始する。
【００３３】
図７に示すように、電話機本体２１１に設けられた発光ＬＥＤ２１２は、上ケース２０１の内面と対向している。上ケース２０１は透明あるいは半透明の素材で構成されている。したがって、発光ＬＥＤ２１２の出力した光２６３は上ケース２０１の空洞部分を通過する。そして、適宜拡散されて上ケース２０１の外側の面を広範囲に照明することになる。
【００３４】
図８は、本実施例で使用する携帯電話機の要部の回路構成を表わしたものである。携帯電話機２１０は電話機本体２１１の各部に電源を供給する充電電池２７１を内蔵している。充電電池２７１は充電回路２７２に接続されている。充電回路２７２は入出力端子２６１と接続されており、携帯電話機２１０が図６に示した卓上ホルダ装置２００にセットされたときその端子２４６およびこの図には示してない端子２４７と接続されて、充電のための給電が行われるようになっている。
【００３５】
充電状態判別回路２７３は、充電回路２７２と接続されており、充電の開始されたことや、充電の進行状態および完了を判別するようになっている。充電状態判別回路２７３の充電判別結果２７４は、着信検知を行う着信検知回路２７５の着信検知出力２７６と共に発光形態指示回路２７７に入力されるようになっている。発光形態指示回路２７７は図示しないＣＰＵ（Central Processing Unit）や所定の制御プログラム（ソフトウェア）２７８を格納したＲＯＭ（Read Only Memory）等の記憶媒体（図示せず）と連携しており、充電判別結果２７４と着信検知出力２７６に応じた発光形態を発光形態指示信号２７９として発光ＬＥＤ駆動回路２８１に供給するようになっている。発光ＬＥＤ駆動回路２８１はこれに応じて発光ＬＥＤ２１２の発光形態を変化させることになる。
【００３６】
ここで、発光ＬＥＤ２１２の発光形態とは、（ａ）発光のオン・オフパターン、（ｂ）発光の色および（ｃ）発光の強度の組み合わせからなる。発光形態指示回路２７７は、電話機本体２１１内の充電電池の電圧をチェックして、充電が開始されたことや、充電中、および充電が完了したことの各状態に合わせて色々な発光パターンで発光ＬＥＤ２１２の発光を行わせる。また、着信があったときもその内容に応じて、充電とは異なった発光形態で発光ＬＥＤ２１２の発光を行わせる。もちろん、発光形態としてこれら（ａ）〜（ｃ）の全部を組み合わせる必要はなく、たとえば色を変えるといったように１種類だけであってもよい。また、本実施例では電話機本体２１１に発光手段として発光ＬＥＤ２１２が１個備えられているが、複数の発光手段を備えているときには、これらを組み合わせることで発光形態を更に多様化させることもできる。
【００３７】
しかも、本実施例では卓上ホルダ装置２００自体が発光ＬＥＤを備えていないので、発光ＬＥＤの駆動を制御する回路や発光をオン・オフするスイッチや発光量を制御するボリュームも卓上ホルダ装置２００側に不要であり、卓上ホルダ装置２００を安価に製造することができる。
【００３８】
また、光の表示領域に十分な面積を割り当てることのできない小型の携帯電話機２１０であっても、卓上ホルダ装置２００に装着し光路を拡張することで、光学的な表示領域を十分拡大することができる。更に発光ＬＥＤの発光を視認できる方向も、発光ＬＥＤの前方の所定範囲の領域に限定されるものではなくなり、光の散乱現象を利用することで上ケース２０１の全域にまで拡大することができる。もちろん、上ケース２０１の場所によって強度が段階的に変化する光のグラディエーションを実現することも可能であり、部屋のインテリアとしての効果も発揮させることができる。
【００３９】
＜発明の変形可能性＞
【００４０】
以上説明した実施例では、携帯電話機２１０に１個の発光ＬＥＤ２１２を配置し、着信と充電状態での発光を兼用して行うようにした。これとは異なり、着信と充電でそれぞれで異なった発光手段を用意することも可能である。また、カメラ機能で夜間照明を行うための発光源や背面側の液晶ディスプレイのバックライトのように電子装置の本体側に用意されている各種の発光手段を卓上ホルダ装置２００にセットされた状態で、常に、あるいは所定の条件で発光させるようにすることもできる。このように発光ＬＥＤ等の複数の発光手段を活用することで、卓上ホルダ装置側でより多彩なイルミネーション機能を実現することができる。
【００４１】
更に実施例では折り畳み型の携帯電話機を例に挙げて説明したが、折り畳み構造を有しない一体型の携帯電話機やその他の電子装置についても本発明を同様に適用することができる。一体型の携帯電話機の場合には、操作面に配置された液晶ディスプレイのバックライトも卓上ホルダ装置の照明に使用することができる。また、実施例では携帯電話機を卓上ホルダ装置に縦に置く形で収容したが、横あるいは斜めに電子装置を収容する卓上ホルダ装置についても本発明を同様に適用することができる。
【００４２】
更に実施例では空隙や透明あるいは半透明の材料を使用して携帯電話機の本体側が出力する光を卓上ホルダ装置の上部領域に導いて照明したが、中央部分や下端部、あるいは全体の照明を行うようにしてもよい。また、光ファイバのような他の導光手段を使用して、卓上ホルダ装置の特定領域を照明するようにしてもよい。特に電子装置の本体側が複数の発光手段を備えているような場合には、その一部に対して光ファイバのような導光手段を使用して特定部位を明るく照射し、他の発光手段から出力される光についてはある程度広域にやわらかく照射するといった使い分けを行うと、電子装置の本体側の光の色や光のオン・オフ出力制御と組み合わせて、卓上ホルダ装置を用いた多彩な光の演出が可能になる。
【００４３】
なお、実施例では卓上ホルダ装置を充電機能に特化したものとして説明したが、高音質のスピーカを備えたり、ＬＡＮの接続機能等の他の機能を備えていてもよい。特に卓上ホルダ装置がスピーカを備えている場合には、ユーザの設定により、光のパターンと音を融合させた装置として携帯電話機等の電子装置の新しい用途を開拓することができる。
【図面の簡単な説明】
【００４４】
【図１】本実施例の卓上ホルダ装置の外観を表わした斜視図である。
【図２】本実施例で卓上ホルダ装置にセットする携帯電話機の斜視図である。
【図３】本実施例で携帯電話機を卓上ホルダ装置にセットした状態を表わした斜視図である。
【図４】本実施例の卓上ホルダ装置を分解して斜め上から見た斜視図である。
【図５】本実施例の卓上ホルダ装置を分解して斜め下から見た斜視図である。
【図６】本実施例の携帯電話機を卓上ホルダ装置にセットした状態の切断面を表わす断面図である。
【図７】本実施例の携帯電話機を卓上ホルダ装置にセットして点灯させた状態の切断面を表わす断面図である。
【図８】本実施例の携帯電話機の回路構成の要部を示すブロック図である。
【図９】従来使用された卓上ホルダ装置を分解して斜め上から見た斜視図である。
【図１０】従来使用された卓上ホルダ装置を分解して斜め下から見た斜視図である。
【図１１】図９および図１０に示した卓上ホルダ装置に装着する携帯電話機の斜視図である。
【図１２】従来提案された卓上ホルダ装置に携帯電話機をセットした状態を表わした側面図である。
【符号の説明】
【００４５】
２００  卓上ホルダ装置
２０１  上ケース
２０２  中ケース
２０４  挿入部
２１０  携帯電話機
２１１  電話機本体
２１２  発光ＬＥＤ
２４６、２４７  端子
２６１  入出力端子
２６３  光
２７１  充電電池
２７２  充電回路
２７３  充電状態判別回路
２７５  着信検知回路
２７７  発光形態指示回路
２７８  制御プログラム（ソフトウェア）
【図１】
2008118308.tif 000003
【図２】
2008118308.tif 000004
【図３】
2008118308.tif 000005
【図４】
2008118308.tif 000006
【図５】
2008118308.tif 000007
【図６】
2008118308.tif 000008
【図７】
2008118308.tif 000009
【図８】
2008118308.tif 000010
【図９】
2008118308.tif 000011
【図１０】
2008118308.tif 000012
【図１１】
2008118308.tif 000013
【図１２】
2008118308.tif 000014